(57)【要約】【課題】  メガネを１個のみ収納する眼鏡ケースは、多用されているが、２個以上のメガネを収納する眼鏡ケースがほとんど開発されておらず、コンパクトに数個のメガネが収納できる眼鏡ケースが望まれていた。【解決手段】  複数の眼鏡を収納できる眼鏡ケースであって、眼鏡ケースの内側のいずれかの個所に、可動仕切の一端が旋回可能に固定されており、該可動仕切は眼鏡ケースの内側で折り返され、他端は同様に眼鏡ケースの内側のいずれかの個所に、旋回可能に固定されており、可動仕切の可撓性により、小さい空間で複数個のメガネを、収納することができることを特徴とする携帯式眼鏡ケースを提供する。【選択図】図１
2010075640.tif 000002
【特許請求の範囲】
【請求項１】
少なくとも１個以上の複数の眼鏡を収納できる眼鏡ケースであって、眼鏡ケースの内側のいずれかの個所に、可動仕切の一端が旋回可能に固定されており、該可動仕切は眼鏡ケースの内側で折り返され、他端は同様に眼鏡ケースの内側のいずれかの個所に、旋回可能に固定されており、可動仕切の可撓性により、小さい空間で複数個のメガネを、収納することができることを特徴とする眼鏡ケース。
【請求項２】
前記眼鏡ケースの内側に固定されている可動仕切の一端端部と、他端端部は、曲がりにくい硬質仕切となっており、夫々の硬質仕切に連結される中間の仕切は、撓みやすい軟質仕切となっていることを特徴とする請求項１記載の眼鏡ケース。
【請求項３】
前記硬質仕切は、天然素材の布、合成繊維の布、不織布、皮革、合成樹脂、紙等の眼鏡レンズが触れても傷のつかない柔らかい材料で構成され、かつ前記硬質仕切の内側は、可動仕切が撓みにくいようボード、樹脂含浸の布、紙、合成樹脂板等の硬質の材料となっており、可動仕切が、倒れにくく構成されており、一方、軟質仕切は、同様に天然素材の布、合成繊維の布、不織布、皮革、合成樹脂、紙等の眼鏡のレンズが触れても傷のつかない柔らかい材料で構成され、かつ前記軟質仕切の内側は、軟質仕切が柔軟に撓むよう曲がり易い天然素材の布、合成繊維の布、不織布、皮革、合成樹脂、紙等の材料で構成されていることを特徴とする請求項１又は２記載の眼鏡ケース。
【発明の詳細な説明】
【技術分野】
【０００１】  本発明は、人間が使用する眼鏡を収納する眼鏡ケースに関する。
【背景技術】
【０００２】  従来より、眼鏡ケースは、眼鏡のレンズと、フレームの保護のため各種の形態の物が実用されている。
特に近年、高齢化社会に付随して老眼鏡や、またパソコン使用時のメガネ、またファッション性の高いサングラス等を使用する人が多くなってきた。
しかるにメガネを１個のみ収納する眼鏡ケースは、多用されているが、２個以上のメガネを収納する眼鏡ケースがほとんど開発されておらず、コンパクトに数個のメガネが収納できる眼鏡ケースが望まれていた。特に携帯式メガネケースにおいて強く望まれていた。
【発明の開示】
【発明が解決しようとする課題】
【０００３】  本発明は、これらの課題を解消しようとする眼鏡ケース、または携帯式メガネケースを提供するものである
【課題を解決するための手段】
【０００４】  少なくとも１個以上の複数の眼鏡を収納できる眼鏡ケースであって、眼鏡ケースの内側のいずれかの個所に、可動仕切の一端が旋回可能に固定されており、該可動仕切は眼鏡ケースの内側で折り返され、他端は同様に眼鏡ケースの内側のいずれかの個所に、旋回可能に固定されており、可動仕切の可撓性により、小さい空間で複数個のメガネを、収納することができることを特徴とする眼鏡ケースを提供する。【０００５】  前記眼鏡ケースの内側に固定されている可動仕切の一端端部と、他端端部は、曲がりにくい硬質仕切となっており、夫々の硬質仕切に連結される中間の仕切は、撓みやすい軟質仕切となっていることを特徴とする請求項１記載の眼鏡ケースを提供する。【０００６】  前記硬質仕切は、天然素材の布、合成繊維の布、不織布、皮革、合成樹脂、紙等の眼鏡レンズが触れても傷のつかない柔らかい材料で構成され、かつ前記硬質仕切の内側は、可動仕切が撓みにくいようボード、樹脂含浸の布、紙、合成樹脂板等の硬質の材料となっており、可動仕切が、倒れにくく構成されており、一方、軟質仕切は、同様に天然素材の布、合成繊維の布、不織布、皮革、合成樹脂、紙等の眼鏡のレンズが触れても傷のつかない柔らかい材料で構成され、かつ前記軟質仕切の内側は、可動仕切が柔軟に撓むよう曲がり易い材料で構成されていることを特徴とする請求項１又は２記載の眼鏡ケースを提供する。
【発明の効果】
【０００７】（１）眼鏡は、ツルの取付部分が厚く、反対側は、薄く構成されている。
このことに着眼し、眼鏡の収納は、小さな空間をお互いに利用しあうことで、複数個    のメガネを合理的に収納できるのである。【０００８】（２）硬質仕切３の一端は眼鏡ケース１の短辺側１ｂの内側に、角度可変に取付けられ固    定されている。この硬質仕切３は、眼鏡を収納するとき、可動仕切２が、撓みを起こ    すと入れにくくなるため、ある程度の腰を持たせる役割を果たしている。
従って眼鏡を眼鏡ケース１に、挿入するときに、スムースに入れることが出来るので    ある。軟質仕切４は、可撓性があるので、眼鏡の形状に即して動き、自由な空間を形    成することが出来る。【０００９】（３）本発明の実施例２では、可動仕切２を、対角線状に設けたもので、最も長い対角線    を有効に活用し、更に小さな眼鏡ケース１の外形寸法で合理的に収納することが可能    になるのである。
（４）本発明の実施例４では、前記可動仕切を、２個設けることにより、眼鏡を５個収納    することが出来る。そして、前記可動仕切を、複数個繰返し設けることで、さらに多    数の眼鏡を、小さい眼鏡ケースで収納することが出来る。
【発明を実施するための最良の形態】
【００１０】  本発明は、発明の効果に前述した如く、すなわち、小型の眼鏡ケースで、複数個の眼鏡を効率的に収納できる眼鏡ケースの画期的な構成を提供することができた。【００１１】  なお、本発明の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【実施例１】
【００１２】  以下、本発明の実施例について、図面を参照しながら説明する。
この実施例１は、図１に全体斜視図を示す。
眼鏡ケース１は、長辺側１ａと短辺側１ｂを組合せて箱型のケースを構成している。
本実施例においては、眼鏡ケース１の短辺側１ｂの内側に、可動仕切２が取付けられている。可動仕切２は、硬質仕切３と軟質仕切４で、一体に構成されている。【００１３】  硬質仕切３の一端は眼鏡ケース１の短辺側１ｂの内側に、角度可変に取付けられ固定されている。硬質仕切３は、図１に示すように、軟質仕切４と連結されており、軟質仕切４の反対側は、他端の硬質仕切３に連結され一体に構成され、他端の硬質仕切３も短辺側１ｂの内側に、角度可変に取付けられ固定されている。可動仕切２の上辺と、下辺は、眼鏡ケースに固定されてないので、可動仕切２は、眼鏡ケース内で移動できるように構成されている。【００１４】  図２は、実施例１の眼鏡ケース１の側面図を示している。１ｃは、眼鏡ケース１に設けた底板である。又、１ｄは蓋である。この蓋１ｄは、設けても設けなくてもよい。
図３は、眼鏡ケース１を、上方より見た平面図を示している。
図示の如く、眼鏡の厚さを考慮し、交互に、収納すると、小さい空間で、多数のメガネを収納することが出来るのである。【００１５】  図４は、図１のＡ−Ａ断面の断面詳細図を示す。
硬質仕切３の一端は眼鏡ケース１の短辺側１ｂの内側に、角度可変に取付けられ固定されている。この硬質仕切３は、眼鏡を収納するとき、可動仕切２が、撓みを起こすと入れにくくなるため、ある程度の腰を持たせる役割を果たしている。
従って眼鏡を眼鏡ケース１に、挿入するときに、スムースに入れることが出来るのである。軟質仕切４は、可撓性があるので、眼鏡の形状に即して動き、自由な空間を形成することが出来る。【００１６】  次に材質について述べると、前記硬質仕切３は、天然素材の布、合成繊維の布、不織布、皮革、合成樹脂、紙等の眼鏡レンズが触れても傷のつかない柔らかい材料で構成され、かつその内側は、可動仕切２が撓みにくいようボード、樹脂含浸の布、紙、合成樹脂板等の硬質の材料となっており、眼鏡を挿入しやすいように構成されており、一方、軟質仕切４は、同様に天然素材の布、合成繊維の布、不織布、皮革、合成樹脂、紙等の眼鏡のレンズが触れても傷のつかない柔らかい材料で構成され、かつその内側は、仕切が柔軟に撓むよう曲がり安い天然素材の布、合成繊維の布、不織布、皮革、合成樹脂、紙等の軟質材料で構成されている。【００１７】  今、眼鏡を１個収納する例を説明すると、可動仕切２で、区切られている空間のいずれにも挿入することができ、可動仕切２が撓んで、眼鏡を保持固定することが出来る。
また、２個挿入するときも同様に、いずれの空間に挿入しても可動仕切２が自由に撓んで、夫々を保持する。
３個収納する場合は、可動仕切２で、区切られている空間のそれぞれに眼鏡を挿入でき、きわめて能率的に３個のメガネを収納するため、眼鏡ケース１の外形寸法は、小さくても合理的に収納することが可能になるのである。【００１８】  ４個以上の場合もこの繰返しで良く、実施例４に示している。従って眼鏡ケース１の外形寸法は、小さくても合理的に収納することが可能になるのである。
【実施例２】
【００１９】  本発明の実施例２を図５、図６に示す。この形態は、可動仕切２を、対角線状に設けたもので、このように構成すると、最も長い対角線を有効に活用し、更に小さな眼鏡ケース１の外形寸法で合理的に収納することが可能になるのである。
【実施例３】
【００２０】  本発明の実施例３を図７に示す。
この実施例においては、眼鏡を上部より挿入することなく、そのまま目的の位置にダイレクトに収納することが可能である。【００２１】  上ケース５は、ヒンジ６を旋回中心として、開口端部７を引くことにより単独でオープンすることが出来る。【００２２】  次に中ケース８は、ヒンジ９を旋回中心として、開口端部１０を引くことにより単独でオープンすることが出来る。【００２３】  下ケース１１は、ヒンジ１２を旋回中心として、開口端部１３を引くことにより単独でオープンすることが出来る。このように構成すると、それぞれの位置を旋回により開くことができ、使いやすくした実施例となるのである。
【実施例４】
【００２４】  実施例４は、図８に示す如く、可動仕切２を２個設けた例である。このように構成するとそれぞれの空間に、５個の眼鏡を収納することが出来る。この可動仕切２を更に複数個繰返し設けると多数の眼鏡を効率よく収納することが出来るのである。
即ち、眼鏡は、ツルの取付部分が厚く、反対側は、薄く構成されている。
このことに着眼し、眼鏡の収納は、小さな空間をお互いに利用しあうことで、複数個のメガネを合理的に収納できるのである。
【産業上の利用可能性】
【００２５】    従来より１個のみの眼鏡ケースは、多用されているが、複数個の眼鏡を合理的に収納できる眼鏡ケースが開発されておらず、特に携帯式眼鏡ケースで、強く望まれていた。
本発明により新規需要を喚起し、新製品として産業の発展に寄与することが出来る。
【図面の簡単な説明】
【００２６】
【図１】実施例１の全体斜視図である。
【図２】実施例１の側面図である。
【図３】実施例１の上方より見た平面図である。
【図４】図１のＡ−Ａ断面の断面詳細図を示す。
【図５】実施例２の全体斜視図である。
【図６】実施例２の上方より見た平面図である。
【図７】実施例３の上方より見た平面図である。
【図８】実施例４の全体斜視図である。
【符号の説明】
【００２７】  １      眼鏡ケース
１ａ    長辺側
１ｂ    短辺側
１ｃ    底板
１ｄ    蓋
２      可動仕切
３      硬質仕切
４      軟質仕切
５      上ケース
６      ヒンジ
７      開口端部
８      中ケース
９      ヒンジ
１０    開口端部
１１    下ケース
１２    ヒンジ
１３    開口端部
【図１】
2010075640.tif 000003
【図２】
2010075640.tif 000004
【図３】
2010075640.tif 000005
【図４】
2010075640.tif 000006
【図５】
2010075640.tif 000007
【図６】
2010075640.tif 000008
【図７】
2010075640.tif 000009
【図８】
2010075640.tif 000010